(57)【要約】      （修正有）【課題】使用者が容易に角度設定を行える電子機器の多段階角度設定構造を提供する。【解決手段】ベース部材２１の電子機器１１と回転自在に係合する一方の回転軸において、前記電子機器１１の設置面と操作面または表示面との角度を調節するために、前記電子機器１１側面に設けられた挿入溝に前記ベース部材２１の片側の回転軸に設けられた２つの凸部が挿入される。挿入された前記凸部は前記電子機器１１内部に設けられた多数の凹部に嵌合することにより、多段階角度設定構造を実現させる。【選択図】図１
0003180298.tif 000002
【実用新案登録請求の範囲】
【請求項１】
筐体を構成するベース部材と前記ベース部材が接続される電子機器から成る、前記電子機器を設置する際の角度設定構造であって、
前記電子機器は、前記ベース部材との係合部に前記ストッパーと係合して前記ベース部材の回動を固定する１以上の凹部を有し、前記ベース部材は、前記電子機器と回転自在に係合する係合部に設けられた１以上のストッパーと、前記ストッパーを前記凹部に押し付ける方向に働くバネ部材と、を有し、
前記ベース部材を回動させる場合に、前記バネ部材を圧縮させる方向に前記ベース部材を押動することにより前記凹部と前記ストッパーとの係合を解除し、前記ベース部材の押動を止めることで前記バネ部材の反力により前記ストッパーと前記凹部とが再び係合させ前記ベース部材の回動を固定することを特徴とする電子機器の多段階角度設定構造。  
【考案の詳細な説明】
【技術分野】
【０００１】
本考案は、卓上で使用するときに設置角度を設定できる角度設定構造を有する電子機器に関するものである。
【背景技術】
【０００２】
従来の電子機器の設置角度設定構造として、筐体底部とベース部材の片側が回転して係合し、筐体底部と回転して係合しているスタンドが筐体を支持することにより、電子機器の設置角度を設定するものがある（例えば、特許文献１）。
【０００３】
上述した特許文献１に記載の角度設定構造においては、スタンドに２つのベース部材を使用した角度設定構造のため、使用者がスタンドの角度変更時に複数のベース部材を操作する必要があり、従来の角度設定構造では使用者が容易に角度変更できないことが懸念される。
【先行技術文献】
【特許文献】
【０００４】
【特許文献１】特開２００４−２６６０８７号公報
【考案の概要】
【考案が解決しようとする課題】
【０００５】
本考案の課題は、上記の問題点を解決するために、１つのベース部材の操作で容易に設置角度を変更することができ、かつ、多段階の角度設定構造を提供することにある。
【課題を解決するための手段】
【０００６】
本考案は、筐体を構成するベース部材と前記ベース部材が接続される電子機器から成る、前記電子機器を設置する際の角度設定構造であって、前記電子機器は、前記ベース部材との係合部に前記ストッパーと係合して前記ベース部材の回動を固定する１以上の凹部を有し、前記ベース部材は、前記電子機器と回転自在に係合する係合部に設けられた１以上のストッパーと、前記ストッパーを前記凹部に押し付ける方向に働くバネ部材と、を有し、前記ベース部材を回動させる場合に、前記バネ部材を圧縮させる方向に前記ベース部材を押動することにより前記凹部と前記ストッパーとの係合を解除し、前記ベース部材の押動を止めることで前記バネ部材の反力により前記ストッパーと前記凹部とが再び係合させ前記ベース部材の回動を固定することを特徴とする。
【考案の効果】
【０００７】
本考案によれば、１つのベース部材を操作することで設置角度を変更することができ、かつ、多段階の角度設定構造を提供できる。
【図面の簡単な説明】
【０００８】
【図１】（ａ）本考案における電子機器の多段階角度設定構造の構成を示す斜視図            （ｂ）多段階角度設定構造部の拡大図
【図２】（ａ）電子機器の斜視図、（ｂ）ストッパー付凸部を挿入する挿入部の拡大図
【図３】ベース部材及びバネ部材の斜視図
【考案を実施するための形態】
【０００９】
図１は（ａ）に本考案における電子機器の多段階角度設定構造の構成を示す斜視図を示し、（ｂ）に多段階角度設定構造部を拡大した図を示す。図１（ａ）の筐体は、電子機器１１とベース部材２１から構成されており、図１（ｂ）の電子機器１１とベース部材２１の係合部は、ベース部材２１に設けられたストッパー付凸部２３と、ストッパー付凸部２３に設けられたストッパー２４と、ストッパー付凸部２３と係合するバネ部材３１と、電子機器１１に設けられたストッパー付凸部２３を挿入する凹部１３と、ストッパー２４が係合する多数の凹部１４から構成されている。角度設定の動作については後述する。
【００１０】
図２は（ａ）に電子機器１１の斜視図を示し、（ｂ）にストッパー付凸部２３を挿入する挿入部の拡大図を示す。図２（ａ）より、電子機器１１にはベース部材２１と係合する凹部１２と、ベース部材２１に設けられたストッパー付凸部２３を挿入する凹部１３が設けられている。図２（ｂ）より、ストッパー付凸部２３が電子機器１１に挿入された後、ストッパー２４と係合され固定するための多数の凹部１４が設けられている。
【００１１】
図３はベース部材２１及びバネ部材３１の斜視図を示す。ベース部材２１には電子機器１１の凹部１２と係合する凸部２２と、電子機器１１の凹部１３と係合するストッパー付凸部２３が設けられており、ストッパー付凸部２３には２本のストッパー２４が設けられている。また、ストッパー付凸部２３の端面にはバネ部材３１が係合されている。尚、凸部２２及びストッパー付凸部２３は電子機器１１の凹部１２及び凹部１３と回転自在に係合する。
【００１２】
多段階角度設定構造について図１を用いて説明する。図１（ｂ）に示すベース部材２１のストッパー付凸部２３に設けられた２つのストッパー２４が、電子機器１１に設けられた凹部１４に係合し、またバネ部材４１の反力によってストッパー２４を凹部１４に向かって押動する方向に力が加わることで、ベース部材２１の回動を固定している。この状態では、ストッパー２４と凹部１４の係合が自然に解除されることは無く、ベース部材２１の角度は保持される。
【００１３】
次に、角度を調整する場合について説明する。ここで図１（ａ）から、角度の設定はベース部材２１を回転方向ＡまたはＢいずれの方向に回動させても行うことが可能である。角度を調整する場合は、ベース部材２１を方向Ｃに向かって操作者が押動することにより、バネ部材４１が縮む方向に力が加わり、ストッパー２４と凹部１４の係合を解除させてベース部材２１を回動させる。次に、ベース部材２１を任意の角度に設定した後に、前述した操作者の押動を止めることで再びバネ部材４１の反力によってストッパー２４を凹部１４に向かって押動する方向に力が加わり、ストッパー２４と凹部１４が係合されてベース部材２１の角度が保持される。
【００１４】
このように、本考案によれば従来の角度設定構造よりも小さい部品で多段階の角度設定を提供でき、かつ角度設定方法が簡単なため使用者も容易に角度設定を行うことが可能である。また、本考案を実施することで、従来の角度設定構造よりも部品が小型化されることにより、製造及び管理コストの低減を可能とし、更に、従来の角度設定構造では、設置角度を変更しても筐体が占める設置面積は一定であったが、本考案によれば、設置角度を変更することで設置面積を変えることができ、従来よりも狭い場所に筐体を配置することが可能となる。尚、本考案を実施するに当たり、趣旨を逸脱しない範囲での変更が可能である。本考案において、実施例として回転軸に設けた２つの凸部は、固定できるならば凸部の角度に制限はなく、また凸部の数にも制限はない。これにより、電子機器側の挿入溝および凹部も前記凸部に合わせ自由に設置でき制限はない。尚、実施例に示した凸部、凹部は相互に入れ替えたとしても同様の効果が得られる。
【符号の説明】
【００１５】
１１  電子機器
１２  ベース部材と係合する凹部
１３  ストッパーを挿入する凹部
１４  ストッパーと係合する凹部
２１  ベース部材
２２  電子機器と係合する凸部
２３  ストッパー付凸部
２４  ストッパー
３１  バネ部材
【図１】
0003180298.tif 000003
【図２】
0003180298.tif 000004
【図３】
0003180298.tif 000005